(57)【要約】      （修正有）【課題】住宅地域や農地或いは車専用道路などへ害獣動物の侵入を防ぐと共に、再び侵入する行為を阻止できる害獣駆除装置を提供する。【解決手段】侵入を阻止する指定区域の周囲に地上約１ｍの高さの管６と、シャワー状に散布するノズル１１と、感知範囲約５ｍ以内に設定し、動物を検知してから約１５秒或いは検知している間は常時散布を可能なセンサー７を配置し、忌避液等の吸引及び排水が可能なポンプ１０と常時安定した電源を供給できる太陽光発電システムを備えた。【選択図】図１
0003215355.tif 000002
【実用新案登録請求の範囲】
【請求項１】
地面上に配設され、動物がセンサーに接近したときに感知し、感知すると電源スイッチ可能なセンサーと、
動物が嫌がる成分の入った忌避液と、
前記忌避液を貯水したタンクと、
前記忌避液の吸い上げ及び排水が可能なポンプと、
前記センサーが感知したときに前記ポンプの動力源となる蓄電池と、
前記ポンプが排水した前記忌避液を通水する管と、
前記管に装着した前記忌避液を散布する複数のノズルと、
を備え、
前記センサーが前記管に接近した動物を感知したときに、前記ポンプが前記タンク内の前記忌避液を吸い上げ、管に装着された前記ノズルから前記忌避液を散布し、動物が管の下を通過阻止することを特徴とした害獣駆除装置。
【請求項２】
地面上に配設され、動物がセンサーに接近したときに感知し、感知すると電源スイッチ可能なセンサーと、
動物に刺激を与える成分の入った刺激液と
前記刺激を与える成分の入った刺激液を入れたタンクと、
前記刺激液の吸い上げ及び排水が可能なポンプと、
前記センサーが感知したときに前記ポンプの動力源となる蓄電池と、
前記ポンプが排水した前記刺激液を通水する管と、
前記管に装着した前記刺激液を散布する複数のノズルと、
を備え、
前記センサーが前記管に接近した動物を感知したときに、前記ポンプが前記タンク内の前記刺激液を吸い上げ、管に装着された前記ノズルから前記刺激液を散布し、動物が管の下を通過阻止することを特徴とした害獣駆除装置。
【請求項３】
地面上に配設され、動物がセンサーに接近したときに感知し、感知すると電源スイッチ可能なセンサーと、
トウガラシの成分が入ったトウガラシ液と、
前記トウガラシ液を入れたタンクと、
前記トウガラシ液の吸い上げ及び排水が可能なポンプと、
前記センサーが感知した場合に前記ポンプの動力源となる蓄電池と、
前記ポンプが排水した前記トウガラシ液を通水する管と、
管に装着した前記トウガラシ液を散布する複数のノズルと、
を備え、
前記センサーが前記管に接近した動物を感知したときに、前記ポンプが前記タンク内の前記トウガラシ液を吸い上げ、管に装着された前記ノズルから前記トウガラシ液を散布し、動物が管の下を通過阻止することを特徴とした害獣駆除装置。
【請求項４】
地面上に配設され、動物がセンサーに接近したときに感知し、感知すると電源スイッチ可能なセンサーと、
動物が嫌がる成分の入った忌避液と、
動物に刺激を与える成分の入った刺激液と
前記忌避液を貯水したタンクと、
前記忌避液及び前記刺激液の吸い上げ及び排水が可能なポンプと、
前記センサーが感知したときに前記ポンプの動力源となる蓄電池と、
前記ポンプが排水した前記忌避液及び前記刺激液を通水する管と、
前記管に装着した前記忌避液及び前記刺激液を散布する複数のノズルと、
を備え、
前記センサーが前記管に接近した動物を感知したときに、前記ポンプが前記タンク内の前記忌避液及び前記刺激液を吸い上げ、管に装着された前記ノズルから前記忌避液及び前記刺激液を散布し、動物が管の下を通過阻止することを特徴とした害獣駆除装置。
【請求項５】
前記タンクに除草剤を入れたことを特徴とする請求項１〜４のいずれか１項に記載の害獣駆除装置。
【請求項６】
前記センサーを前記管に沿って平行して感知することを特徴とする請求項１から５のいずれか１項に記載の害獣駆除装置。
【請求項７】
前記蓄電池からの電気をワイヤレスにより始動及び停止を遠隔操作することを特徴とする請求項１から６のいずれか１項に記載の害獣駆除装置。
【考案の詳細な説明】
【技術分野】
【０００１】  本考案は、住宅地域や農地・果実園等に侵入するイノシシ・シカ・サル・クマなど有害動物の侵入防止に用いる害獣駆除装置に関する。
【背景技術】
【０００２】  従来、侵入防止対策としては、河川の水を吸引し有害動物に放水をして侵入を防ぐものである。
【先行技術文献】
【特許文献】
【０００３】
【特許文献１】特開２０１１−１５６３１号公報
【考案の概要】
【考案が解決しようとする課題】
【０００４】  しかしながら、上記従来技術において、特許文献１に記載のものは、農地・果実園・植林地等に河川からの野獣類を侵入防止するだけのためであり、周囲または近くに河川がない住宅地域、農地・果実園・植林地、高速自動車国道等への野獣類の侵入を防止するには不十分である。
また複数の野獣類を感知して一頭づつ退治することは困難である。【０００５】  本考案の目的は、上記従来技術の課題を解決し、住宅地域や農地あるいは果樹園または高速自動車国道などへの害獣の侵入に対し、感知すると共に侵入防止を容易にすることにしたことにある。
【課題を解決するための手段】
【０００６】  上記目的を達成するため、本考案は、有害動物が指定区域内に侵入しようとするところに、支柱の地上１ｍ前後の高さに動物が嫌がる匂いの成分が入った液体や五官に刺激を与える刺激液などの忌避液等の液体を散布するノズルを設置した管を固定し、前記管に害獣が約５ｍ以内に接近したときに感知するセンサーを管と同程度の高さに設置し、前記センサーが動物を感知したときに連動して前記液体を吸い上げと給水が可能なポンプが始動し、前記液体を入れたタンクから前記液体を管に通水し、動物を感知してから約１５秒あるいは感知している間前記動物に向って前記ノズルからシャワー状に前記液体を散布する装置からなるものである。
【考案の効果】
【０００７】  本考案によれば、太陽光発電システムを備えた害獣駆除装置の蓄電池は安定した電力をポンプや感知器に供給ができ、動物が侵入しようとする際に、管に設置したノズルから動物に向けて忌避液または刺激成分の入った液体を、動物を検知してから約１５秒間、あるいは検知している間は常時動物に向って散布すると、動物は退き侵入を防ぐことができた。
【図面の簡単な説明】
【０００８】
【図１】本考案の害獣駆除装置の構成を示したブロック図である。
【図２】本考案の害獣駆除装置の主要部の構成を示した説明図である。
【図３】本考案の害獣駆除装置の主要部の実施形態の使用状態の平面図である。
【図４】本考案の害獣駆除装置の主要部の実施形態の使用状態の側面図である。
【図５】本考案の害獣駆除装置の主要部の実施形態の使用状態の正面図である。
【図６】本考案の害獣駆除装置のシステム構成図である。
【考案を実施するための形態】
【０００９】  以下に、本考案の実施形態に係る忌避剤入りの液体、刺激剤入りの液体、タンク、ポンプ、１ｍ以上の管、ノズル、支柱、センサーを組み合わせた害獣駆除装置について図面を参照して詳細に説明する。この実施形態により考案が限定されるものでなく、実施形態における構成要素には当業者が容易に想定できるもの、あるいは実質的に同一のものも含まれる。
【実施例１】
【００１０】  図１は、本考案の害獣駆除装置の構成を示したブロック図、図２は害獣駆除装置の主要部の構成を示した説明図である。図１及び図２を参照して、害獣駆除装置１は、電源である蓄電池２にソーラーパネル３が発電した電力を発電コード２４を通電しコントローラー４により電力を調整して調整電圧コード２５を通電し蓄電池２に蓄電する。そして蓄電池２に蓄電した電圧を電源入力コード１５を通り支柱１４に配置したセンサー７に通電し、センサー７が動物を感知するとセンサー７のスイッチが入り電源出力コード１６に通電し、ポンプ１０の電力が入りタンク９に貯水されている忌避液及び刺激液等の液体８が吸い込まれ給水ホース１９通りポンプ１０により圧力がかかり管６を通りノズル１１から接近してきた動物に向って散布する装置である。【００１１】  害獣駆除装置１に使用する電源は商用電源ＡＣ１００Ｖでもよいが、停電時でも持続して稼働ができ配線などの漏電事故防止にもなる太陽光発電システムを備えた装置が望ましいい。【００１２】  支柱１４を地面が堅硬で地中に差し込んで設置することが困難な場所には角型土のう袋に土砂を投入し土のうにして基礎をつくり、前記基礎に差し込んで安定させて設置することが好ましい。【００１３】  各センサー７を配置する支柱１４の設置間隔は動物を確実に感知可能な１０ｍ以内が望ましい。【００１４】  センサー７は、動物の動作や熱を感知できる赤外線センサーが好ましい。【００１５】  またセンサー７の感知する範囲を管６に沿って平行に前方斜め下方向に約５ｍ先の地面までに設定し、不必要な範囲を感知しないことで無駄な液体の散布や電力の消費を防ぐことが望ましいい。【００１６】  またセンサー７は、例えば感知器や検出器、ディテクター、探知器、ケンチキ、レーザー光なども動物を感知してスイッチ機能付きであればよい。【００１７】  管６は侵入場所や指定地域の周囲を包囲して配置することが望ましい。【００１８】  管６の種類は例えばパイプやチューブ・筒・導管・配管・ダクトなど棒状のもので穴が開いているものでもよい。【００１９】  前記管６は切断した管６の先端部に接続ノズル１１を繋げて連続したものが望ましい。【００２０】  ノズル１１は霧状・ミストシャワー・噴霧状・散水式・噴き出し状・ドリップ式・噴射式などでもよいが、動物５に的確に散布できるシャワー状に拡散して散布する方法が望ましい。【００２１】  また管６及びノズル１１は対象動物の大きさや散布範囲・方向などに応じ的確に動物に対し散布できる約０．５ｍから約２ｍ以内に切断しその先端にノズル１１を装着し連続して接続してもよい。【００２２】  また管６及びノズル１１は長い管６にノズル１１を差し込んで装着してもよい。【００２３】  液体８は動物の五官のうち鼻・舌・皮膚に嫌がる成分の入った忌避液で、動物に対して忌避作用を有する物質が添加されたトウガラシ液、クレゾール、酢、酢酸、オオカミの臭い、テラゾール、木酢液、アルコールを含む公知された忌避液を適宜使用することができる。【００２４】  また液体８は動物の目や鼻、口、舌、喉、皮膚に強い刺激や痛みを感じる成分の入った刺激液でトウガラシ、アルコールなどが望ましい。【００２５】  雑草が生えやすい場所に���置する場合は、センサー７の感知機能を維持するため液体８に除草剤を混入し同時に散布することが望ましい。【００２６】  図３は害獣駆除装置の主要部の構成を示した平面図である。管６に接近してきた動物５を感知してノズル１１から動物５に向けて液体を散布２０した。【００２７】  動物５はイノシシ、サル、シカ、クマ、狸、イタチ、ウサギなど地面の上を歩く哺乳類の有害動物が望ましい。【００２８】  動物５の侵入を確実に防ぐためにはセンサー７が動物５を感知してから液体８を約１５秒あるいは感知している間は連続して散布をし動物５が侵入しようとする意思を喪失させることが望ましい。【００２９】  また動物５は嫌な臭いや体に強い刺激を受けることで指定区域に接近しないようになる。【００３０】  動物５が管６の先を感知するセンサー７に接近するとセンサー７が感知し連動してノズル１１から動物５に忌避液及び刺激液の液体８を散布すると動物５の目や鼻、口、舌、喉、皮膚に強い刺激や痛みを感じ管６に接近しない。【００３１】  また刺激のある液体８を散布された動物５は強い刺激や痛みを感じたことを記憶し二度と害獣駆除装置１を設置した指定区域に寄せつけないことが期待できる。【００３２】  図４は害獣駆除装置の主要部の構成を示した側面図である。指定区域周囲の支柱１４に地上１ｍ前後に設置したセンサー７が、センサー７から５ｍ以内Ｌの感知範囲２６に近づいてきた動物５を感知し、ポンプ１０が連動してタンク９から忌避液等の液体８を吸引して地上１ｍ前後に設置した管６を通り、管６に設置してあるノズル１１から前記液体８を動物５に向って散布２０する。【００３３】  図５は害獣駆除装置の主要部の構成を示した正面図である。地上１ｍ前後Ｈに設置した管に平行し横方向に感知するセンサー７の感知範囲２６に接近してきた動物５を感知し、ポンプが連動してタンクから忌避液等の液体を吸引して地上１ｍ前後に設置した管６を通り、管６に設置してあるノズル１１から前記液体を動物５に向って散布２０して管６の下の通過を阻止する。【００３４】  図６は害獣駆除装置の構成を示すシステム図である。害獣駆除装置１は、電源である蓄電池２にソーラーパネル３が発電した電力を、発電コード２４を通電しコントローラー４により電力を調整して調整電圧コード２５を通電し蓄電池２に蓄電する。蓄電池２に蓄電した電圧を電源入力コード１５を通りセンサー７に通電し、センサー７が動物５を感知するとセンサー７のスイッチが入り電源出力コード１６に通電になりポンプ１０の電力が入りタンクに貯水されている忌避液等の液体８が吸い込まれ給水ホースを通りポンプにより圧力がかかり管６を通りノズル１１から接近してきた動物５に向って散布する装置である。【００３５】  害獣駆除装置１をセンサー７が感知して散布２０する区域内に電源の入出力を操作する装置がある場合に人間などが害獣駆除装置１に近づく場合は、電波・赤外線・音波などのワイヤレスにより機器の作動を外部から遠隔操作し電源の入出力をワイヤレス受信機２７及びワイヤレス送信機２８で操作することにより人体への散布や不必要な稼働をしないことが望ましい。
【符号の説明】
【００３６】  １    害獣駆除装置
２    蓄電池
３    ソーラーパネル
４    コントローラー
５    動物
６    管
７    センサー
８    液体
９    タンク
１０  ポンプ
１１  ノズル
１２  電源排水ボックス
１３  仕切り板
１４  支柱
１５  電源入力コード
１６  電源出力コード
１７  ソーラ出力コード
１８  コントロール電圧コード
１９  給水ホース
２０  散布
２１  電源入力方向
２２  電源出力方向
２３  排出方向
２４  発電コード
２５  調整電圧コード
２６  感知範囲
２７  ワイヤレス受信機
２８  ワイヤレス送信機
Ｌ    センサーから５ｍ
Ｈ    地上１ｍ前後
【図１】
0003215355.tif 000003
【図２】
0003215355.tif 000004
【図３】
0003215355.tif 000005
【図４】
0003215355.tif 000006
【図５】
0003215355.tif 000007
【図６】
0003215355.tif 000008